(57)【要約】      （修正有）【課題】水道水を使用する際、水道蛇口より流出する水を極力有効に使用できるように、水道水を極力無駄にせずに使用できる節水器具を提供する。【解決手段】水道栓の蛇口に指先で切り替えられる水流切替３方弁５を取付けて流出中で水を使用してない間、その水を一時的に上部貯水留タンク２に蓄えられるようにし、次に水道元栓を締めて水道水の無駄な流出を止め、次に再度水の使用が必要になった際に、その上部貯水タンク２に蓄えられた水を水流切替３方弁５を切り替えて蛇口のところに逆流させて水を使用できるようにして、捨て去る水を極力抑える。【選択図】図２
0003217187.tif 000002
【実用新案登録請求の範囲】
【請求項１】
水道栓蛇口に取り付けて蛇口出口より流出する水を、前記出口直後の内部に設けた水流切替弁により、前記内部が管路で通じていて、前記蛇口より高い位置に設けられた上部開放型貯水タンクに導いてその内部に一時的に貯留し、再度前記水流切替弁により前記上部開放型貯水タンク内の水を前記蛇口に戻して前記蛇口より流出させることを特徴とする節水器具。
【考案の詳細な説明】
【技術分野】
【０００１】水道栓に関する。
【考案の概要】
【０００２】水道栓出口に取り付け、通常、水栓を開いて水を流しっぱなしにして、洗い終わってから水栓が締められるが、水の使い方によっては常時、水が流出してなくても、その間、水を洗い等に使っていない時があり、その際、流出し続けている水を一時的にその位置より上部に設けた内部が管路で通じている貯水タンクに水流切替弁を介して貯留し、水を再度使用する際に、前記水流切替弁により元の水栓出口に還流させることのできる節水器具。
【考案が解決しようとする課題】
【０００３】今までの水道栓より流出する水量の調節は手で開け閉めする栓の開閉の度合いで行う方法がとられていて、しかも、一度開かれた水道栓はその出ている水は、その水が使用されているかどうかに拘わらず、元の水栓を閉めるまで出っ放しになることが常であり、流し続けにしているのが常で、使用が終って初めて元の栓を閉めるのが通常の使い方である。
このような使い方が行われる場合には、この間、水道栓より出ている水が無駄に流出していることになる。
このように水道栓を開いて流出している水を一時的に使用しない際には、その流出中の水を一時的に貯留して蓄え、再度使うときに蛇口に還流させる方法により、無駄な水の使用を節約する出来る器具を考案する。
【課題を解決するための手段】
【０００３】      （１）  上記の目的を達成するための本考案の構成を、図１の中心部の垂直縦断面図である図２を用いて説明すると、本考案品は水道栓の蛇口端部に、水道栓蛇口取付アダプター（１）を水道栓出口側に水道栓外側との間に蛇口取付用パッキン（３）を間に挟み蛇口取付用バンド（４）を締めて固定して取り付ける。
（２）  水道栓蛇口取付アダプター（１）の下部に取り付けられた水流切替用３方向弁（５）が内蔵されていて、外部に水流切替３方向弁レバー（６）が連結して取り付けられている。
（３）  水流切り替用３方弁（５）には外側から指先でつまんで回転して水流を切替えられる水流切替レバー（６）が付いている。
（４）  水道栓蛇口取付アダプター（１）には、その位置より高い位置に、内部が管路で通じる上部が大気中に開放された上部貯水タンク（２）が接続されている。
（５）  又、上部貯水タンク（２）よりのオーバーフローした水を一か所に集め、下部の蛇口出口付近に導き流出させるホース等を取りつけることも出来る。
（６）  本考案品の一部である上部貯水タンク（２）の取り付け具又は支持具や置台については本申請の対象外にて、通常現場に合わせて近くに取り付ける。
【考案の効果】
【０００４】（１）面図（２）の水道栓蛇口取付アダプター（１）内部に取り付けられた水流切替３方弁（５）と一体になって動く水流切替レバー（６）の切り替えにより水道栓から流出している水が通常の下方向への流れから横向きに流路を切り替えられ、その位置より上部の位置に設けられた上部貯水タンク（２）に蓄えられたり、又前記水流切替３方弁（５）の水流切替レバー（６）の下方向への切り替えで貯留した水道水を蛇口方向に逆流させて蛇口出口より下方に流出させることが出来る。  この際、水道元栓は通常開放されているが、上部貯水タンク（２）に十分水が蓄えられ溜まった状態で水道元栓を締め、次にその水を使用する際に水流切替３方弁（５）を水流切替レバーベ（６）を下向きに開けば、その水が逆流して蛇口より水を流出することになり、常時、水道栓を開放し放なしにした場合より使用水の節約になる。
（２）上部貯水タンク（２）の上部を開放にしたのは、水道水を貯留する際に水道水の元圧がかかって、この上部貯水タンクの破損を防ぐ効果がある。水道栓蛇口取り付けアダプター（１）及びその内部の水流切替３方弁（５）並び上部貯水タンク（２）に管路にて内部で連なる部分の設置位置を蛇口より上部に設けるのは蛇口より高い位置にあるため、上部水道水貯水タンク（２）内の貯留水を蛇口に戻す場合に、勢いよく、しかも蛇口の真下から流出させることが出来るため、使用勝手がよい。
（３）水道栓を開きっぱなしで水の使用が必要な場合以外、例えば、石鹸等の洗剤を使う際にはその洗剤を塗布する間一時的に水を流出させず上部貯水タンク（２）に水道水をその間貯留させて貯蔵し、洗剤の塗り終わった段階で上部貯水タンク（２）内の水を蛇口より際流出させることが出来、このように使い方や用途によって常時水道栓を開放したり、閉めて一時的に上部貯水タンク（２）に貯留させて使えば通常使用に比べ大幅な節水となる。
（４）世界的に水資源は非常に限られており、又、水など湯水のように使用すると言う言葉があり、それを言い当てているように、水は何時でも身近にあり、いくらでも手軽に使えるとの心理的な感覚があるため、つい気を許して無駄に使われてしまっているのが日常であるが、今回の考案の節水器を提供すればかかる慣れっこになっている心理的な使用の習慣を改めることが出来、限られた水資源の節約に大きく貢献できる。
（５）蛇口から流出している水流を切り替える方式は３方切替弁であればその構造は特に本考案に用いたものに限ったわけではなく、同様の機能と作用、構造を持つものであれば本考案の方式に限定するものではない。
（６）本考案では上部貯水タンクの上部を大気中に開口させているが、要は閉所内に直に水道圧がかかると容器の破損の危険があるためで、それを避けるための方式であれば、例えばオーバーフローをさせずに貯留水を一か所にまとめて下方に導き蛇口の近辺に導く配管なり、ホースを接続させることにより内部に水道圧がたまり、圧力がかかり貯留水のタンクなり容器を破損することを防ぐ方式等が採用されれば、同様の作用が期待でき本申請の方式にこだわるものではない。要は水道圧の直撃を避けるような構造であれば、必ずしも本考案の方式に限るものではない。
【考案の実施例】
【０００５】    （１）［考案の実施例］については前項と同様［課題を解決するための手段］に詳述しているので参照願います。
（２）［課題を解決するための手段］のところに本考案の構成を記述しているが、構成部材の水道栓蛇口取付アダプター（１）と上部貯水タンク（２）と併せた構造に一体に成型することもできる。
（３）本考案品の蛇口への取り付けに当たっては、蛇口の取り付けられている周りの状況によって、本考案の上部貯水タンク（２党）等の支持方法は実際には適宜、現物に合わせた支持機構等を必要とすることになるが、本考案品の対象範囲ではない。
【産業上の利用分野】
【０００６】    水道蛇口
【図面の簡単な説明】
【０００７】
【図１】図１は本考案の平面図
【図２】図２は図１に示した本考案品の中心部のＸＹ断面図
【図３】図３は本考案の水流切替３方弁（５）において水流切替３方弁レバー（６）を下向きに切替えて、図２の水流切替３方弁（５）の向きが変わり下向きになって上部貯水タンク（２）内に蓄えられた水が蛇口方向に逆流して排出される際の状態を表す拡大図
【符号の説明】
【０００８】        （１）は水道栓蛇口取付アダプター、
（２）は上部貯水タンク
（３）は蛇口取付用パッキン
（４）は蛇口取付用バンド
（５）は水流切替３方弁
（６）は水流切替３方弁レバー
【図１】
0003217187.tif 000003
【図２】
0003217187.tif 000004
【図３】
0003217187.tif 000005